(57)【要約】【課題】表示装置を別途設けることなく、制御基板のリビジョン情報を確認することができるエレベータの保守情報表示システムを提供する。【解決手段】エレベータ１を統括制御する主制御装置と、エレベータ１の乗りかご及び乗場に設置され且つ前記主制御装置に接続される副制御装置を備え、前記主制御装置は、保守点検モード時に、当該主制御装置及び副制御装置に取り付けられる複数の制御基板のリビジョン情報及び前記制御基板上で演算処理を行うソフトのリビジョン情報を読み出すリビジョン情報読出部２２を有し、前記副制御装置は、乗りかご５内に設置され、通常運転モード時に、乗りかご位置を表示すると共に、保守点検モード時に、前記主制御装置から入力された前記リビジョン情報を表示するかご位置表示装置７を有する。【選択図】図１
2018034997.tif 000002
【特許請求の範囲】
【請求項１】
通常運転モードと保守点検モードとに切り替え可能なエレベータの保守情報を表示する保守情報表示システムであって、
前記エレベータを統括制御する主制御装置と、
前記エレベータの乗りかご及び乗場に設置され且つ前記主制御装置に接続される副制御装置と、
を備え、
前記主制御装置は、前記保守点検モード時に、当該主制御装置及び副制御装置に取り付けられる複数の制御基板のリビジョン情報及び前記制御基板上で演算処理を行うソフトのリビジョン情報を読み出すリビジョン情報読出部を有し、
前記副制御装置は、前記乗りかご内に設置され、前記通常運転モード時に、当該乗りかご位置を表示すると共に、前記保守点検モード時に、前記主制御装置から入力された前記リビジョン情報を表示するかご位置表示装置を有する、
エレベータの保守情報表示システム。
【請求項２】
前記主制御装置は、前記リビジョン情報及び当該リビジョン情報を更新した更新日時を前記かご位置表示装置に入力し、
前記かご位置表示装置は、前記主制御装置から入力された情報を表示する、
請求項１記載のエレベータの保守情報表示システム。
【請求項３】
前記主制御装置に接続される遠隔監視装置を備え、
前記遠隔監視装置は、前記制御基板及び前記ソフトにおけるリビジョン情報の整合性を判定する整合性判定部を有し、
前記主制御装置は、前記整合性判定部による判定結果を前記かご位置表示装置に入力し、
前記かご位置表示装置は、前記主制御装置から入力された情報を表示する、
請求項１又は請求項２記載のエレベータの保守情報表示システム。
【請求項４】
前記主制御装置は、前記リビジョン情報読出部が読み出した現在取り付けられている制御基板及び記憶されているソフトのリビジョン情報と、前記リビジョン情報読出部が読み出した新たに取り付けられた制御基板のリビジョン情報と、を前記遠隔監視装置に入力し、
前記整合性判定部は、前記主制御装置から入力されたリビジョン情報に基づき、現在取り付けられている制御基板及びソフトと、新たに取り付けられた制御基板との整合性を判定する請求項３記載のエレベータの保守情報表示システム。
【請求項５】
前記主制御装置は、前記リビジョン情報読出部が読み出した現在取り付けられている制御基板及び記憶されているソフトのリビジョン情報と、前記リビジョン情報読出部が読み出した新たに記憶させたソフトのリビジョン情報と、を前記遠隔監視装置に入力し、
前記整合性判定部は、前記主制御装置から入力されたリビジョン情報に基づき、現在取り付けられている制御基板及びソフトと、新たに記憶させたソフトとの整合性を判定する請求項３又は請求項４記載のエレベータの保守情報表示システム。
【発明の詳細な説明】
【技術分野】
【０００１】
本発明は、エレベータの保守情報表示システムに関する。
【背景技術】
【０００２】
通常、エレベータを統括制御する主制御装置や、エレベータの乗場に設置される乗場呼び登録装置及びエレベータの乗りかご内に設置されるかご呼び登録装置等の副制御装置には、ＣＰＵやメモリ等の各種部品が実装された制御基板が取り付けられており、これら制御基板上で予め記憶されたソフトにより演算処理がなされる。そして、制御基板の各種部品の故障や、エレベータの仕様変更に応じ、制御基板交換やソフト変更が実施されることがある。
【０００３】
また、制御基板には、制御基板固有のハード情報が付されていると共に、ソフトには、ソフト固有のソフト情報が付されている。そして、制御基板交換やソフト変更に際しては現在の仕様に適合したものを用いなければならない。
【０００４】
そこで、予め保存されている制御基板のハード情報（制御基板製造時に既に付与されている制御基板の名称、型式、製造ロット番号や、エレベータシステムの設置以降における修理に関する履歴情報等）と、更新後の制御基板のハード情報とを比較し、両制御基板のハード情報に差があった場合に、最新の制御基板情報として保存する技術が紹介されている。そして、エレベータの主制御装置が各制御基板から最新のハード情報を取得して保存し、保守作業員が、保守時に、主制御装置に保存された最新のハード情報を確認しながら保守作業を行うことが提案されている（例えば、特許文献１参照）。
【先行技術文献】
【特許文献】
【０００５】
【特許文献１】特開２００８−１５６０９１号公報
【発明の概要】
【発明が解決しようとする課題】
【０００６】
しかしながら、制御基板の交換の繰り返しやソフト変更の繰り返しにより、ハード・ソフト情報（リビジョン情報）が変わることから、保守点検時に、正しい仕様のものを選択することは必ずしも容易ではない。
【０００７】
また、上述した特許文献１に記載された技術では、主制御装置に保存された制御基板のハード情報を保守作業員が確認するため、主制御装置側に表示装置を別途設ける必要がある。また、特許文献１に係る発明は、制御基板のハード情報を最新の制御基板情報として保存するが、ソフトに関する情報の取り扱いについては、検討がなされていない。
【０００８】
本発明は、以上の点を考慮してなされたものであり、表示装置を別途設けることなく、制御基板のリビジョン情報（ハード情報及びソフト情報）を確認することができるエレベータの保守情報表示システムを提供することを目的とする。
【課題を解決するための手段】
【０００９】
この目的を達成するため、本発明は、通常運転モードと保守点検モードとに切り替え可能なエレベータの保守情報を表示する保守情報表示システムであって、前記エレベータを統括制御する主制御装置と、前記エレベータの乗りかご及び乗場に設置され且つ前記主制御装置に接続される副制御装置と、を備え、前記主制御装置は、前記保守点検モード時に、当該主制御装置及び副制御装置に取り付けられる複数の制御基板のリビジョン情報及び前記制御基板上で演算処理を行うソフトのリビジョン情報を読み出すリビジョン情報読出部を有し、前記副制御装置は、前記乗りかご内に設置され、前記通常運転モード時に、当該乗りかご位置を表示すると共に、前記保守点検モード時に、前記主制御装置から入力された前記リビジョン情報を表示するかご位置表示装置を有する、エレベータの保守情報表示システムを提供するものである。
【発明の効果】
【００１０】
本発明係るエレベータの保守情報表示システムによれば、表示装置を別途設けることなく、制御基板のリビジョン情報（ハード情報及びソフト情報）を簡単に確認することができる。
【図面の簡単な説明】
【００１１】
【図１】本発明の実施形態に係る保守情報表示システムが搭載されたエレベータの概要を示す図である。
【図２】図１に示すエレベータの乗りかご内に設置されたかご位置表示装置における液晶モニタの正面図であり、通常運転時の表示例を示す図である。
【図３】図２に示す液晶モニタの正面図であり、保守点検時の表示例を示す図である。
【図４】図２に示す液晶モニタの正面図であり、保守点検時の他の表示例を示す図である。
【図５】図１に示すエレベータの保守情報表示システムの構成を示すブロック図である。
【図６】図１に示すエレベータの保守情報表示システムの動作を示すフローチャートである。
【発明を実施するための形態】
【００１２】
次に、本発明の実施形態に係る保守情報表示システム及びこの保守情報表示システムが搭載されたエレベータについて図面を参照して説明する。なお、以下に記載される実施形態は、本発明を説明するための例示であり、本発明をこれらの実施形態にのみ限定するものではない。したがって、本発明は、その要旨を逸脱しない限り、様々な形態で実施することができる。
【００１３】
図１は、本実施形態に係る保守情報表示システムが搭載されたエレベータの概要を示す図、図２は、図１に示すエレベータの乗りかご内に設置されたかご位置表示装置における液晶モニタの正面図であり、通常運転時の表示例を示す図、図３は、図２に示す液晶モニタの正面図であり、保守点検時の表示例を示す図、図４は、図２に示す液晶モニタの正面図であり、保守点検時の他の表示例を示す図、図５は、図１に示すエレベータの保守情報表示システムの構成を示すブロック図である。
【００１４】
図１に示すように、本実施形態に係る保守情報表示システムが搭載されたエレベータ１の各階床の乗場２には、乗場呼び釦を有し、乗場呼びを登録する乗場呼び登録装置３と、後述する乗りかご５の動きを表示する乗場表示装置４とが設置されている。
【００１５】
乗場呼び登録装置３及び乗場表示装置４には、ＣＰＵやメモリ等の各種部品が実装された制御基板（図示せず）が取り付けられており、これらの制御基板上で予め記憶されたソフトにより演算処理が行われる。
【００１６】
エレベータ１の乗りかご５内には、かご呼び釦を有し、乗りかご５の行先階を登録するかご呼び登録装置６と、乗りかご５の位置を表示するかご位置表示装置７と、エレベータ１の運転モードを通常運転モード又は保守点検モードに切り替える運転切替スイッチ８とが設けられている。
【００１７】
かご呼び登録装置６及びかご位置表示装置７には、ＣＰＵやメモリ等の各種部品が実装された制御基板（図示せず）が取り付けられており、これら制御基板上で予め記憶されたソフトにより演算処理が行われる。また、かご位置表示装置７は、通常運転時に、乗りかご５の位置を表示すると共に、保守点検時に、リビジョン情報（ハード情報及びソフト情報）を表示可能な液晶モニタを備えている。
【００１８】
運転切替スイッチ８は、施錠可能な保守ボックス内に設けられており、保守点検時に保守作業員により操作され、エレベータ１を通常運転モード又は保守点検モードに切り替えられるようになっている。
【００１９】
また、機械室９には、乗場呼び登録装置３、乗場表示装置４、かご呼び登録装置６、かご位置表示装置７及び運転切替スイッチ８に接続され、エレベータ１を統括制御するエレベータ制御装置１０が設けられている。
【００２０】
エレベータ制御装置１０には、ＣＰＵやメモリ等の各種部品が実装された制御基板（図示せず）が取り付けられており、これら制御基板上で予め記憶されたソフトにより演算処理が行われる。具体的には、エレベータ制御装置１０は、図５に示すように、制御部２１と、保守点検モード時に、所定の制御基板のリビジョン情報及び制御基板上で演算処理を行うソフトのリビジョン情報を読み出すリビジョン情報読出部２２と、制御基板のリビジョン情報やソフトのリビジョン情報等を記憶するメモリ２３とを有している。
【００２１】
制御部２１は、リビジョン情報読出部２２に所望の制御基板のリビジョン情報や制御基板上で演算処理を行うソフトのリビジョン情報を読み出す読出指令を行い、リビジョン情報読出部２２が読み出したリビジョン情報と、これらのリビジョン情報を更新した更新日時をかご位置表示装置７の液晶モニタに表示させる表示指令を行うようになっている。
【００２２】
また、エレベータ制御装置１０は、遠隔監視装置１１に接続されている。この遠隔監視装置１１は、図５に示すように、新たに取り付ける制御基板や新たに記憶させるソフトが、現在取り付けられている他の制御基板や記憶されている他のソフトに整合し、正常に機能するかどうかを判定する整合性判定部３１と、各リビジョン情報を記憶するメモリ３２を有している。そして、整合性判定部３１は、制御部２１から入力された指令に基づき、対象となるリビジョン情報を比較して整合性を判定し、判定結果をエレベータ制御装置１０に入力するようになっている。
【００２３】
遠隔監視装置１１から判定結果が入力されたエレベータ制御装置１０は、制御部２１が前記判定結果に応じて、どのリビジョン情報を有する制御基板やソフトが互いに整合するのか、あるいは組合せに不整合があるのかを示す情報を、かご位置表示装置７に入力する。そして、かご位置表示装置７は、制御部２１から入力された情報を液晶モニタに表示させる。
【００２４】
なお、本実施形態では、エレベータ制御装置１０が主制御装置を構成しており、上述した乗場呼び登録装置３、乗場表示装置４、かご呼び登録装置６及びかご位置表示装置７が副制御装置を構成している。
【００２５】
次に、本実施形態に係る保守情報表示システムの具体的動作及びこの動作に伴うかご位置表示装置７の液晶モニタによる表示について説明する。なお、図６は、本実施形態に係る保守情報表示システムの動作を示すフローチャートである。
【００２６】
先ず、エレベータ１が通常運転をしている場合、保守ボックス内の運転切替スイッチ８が通常運転モードとなっている。この場合、図２に示すように、かご位置表示装置７の液晶モニタは、乗りかご５の位置と運転方向を表示する。
【００２７】
一方、エレベータ１の保守点検を行う場合、ステップＳ１０１において、保守作業員が運転切替スイッチ８を保守点検モードに切り替える。この動作により、運転切替スイッチ８が保守点検モードとなっていることを示す情報がエレベータ制御装置１０に入力される。次に、ステップＳ１０２に進む。
【００２８】
ステップＳ１０２では、エレベータ制御装置１０は、制御部２１がリビジョン情報読出部２２に対し、現在取り付けられている制御基板や記憶されているソフトのリビジョン情報を読み出す読出指令を行い、リビジョン情報読出部２２は、メモリ２３に記憶されているエレベータ制御装置１０自身の制御基板のリビジョン情報と、乗場呼び登録装置３、乗場表示装置４、かご呼び登録装置６及びかご位置表示装置７の制御基板のリビジョン情報と、これらの制御基板上で演算処理を行うソフトのリビジョン情報とを読み出す。その後、ステップＳ１０３に進む。
【００２９】
ステップＳ１０３では、制御部２１は、リビジョン情報読出部２２によって読み出されたリビジョン情報をかご位置表示装置７に入力し、かご位置表示装置７は、図３に示すように、入力されたリビジョン情報と、各リビジョン情報を更新した更新日時とを液晶モニタに表示する。また、制御部２１は、リビジョン情報読出部２２から読み出されたリビジョン情報を遠隔監視装置１１に送信し、遠隔監視装置１１は、入力されたリビジョン情報をメモリ３２に記憶させる。その後、ステップＳ１０４に進む。
【００３０】
ステップＳ１０４では、保守作業員は、所望の装置（本実施形態では、乗場呼び登録装置３、乗場表示装置４、かご呼び登録装置６及びかご位置表示装置７のいずれか）に実装されている制御基板の交換を行う。その後、ステップＳ１０５に進む。
【００３１】
ステップＳ１０５では、制御部２１が、リビジョン情報読出部２２に対し、新たに取り付けられた制御基板（以下、「交換用制御基板」という）のリビジョン情報を読み出す読出指令を行い、ステップＳ１０６に進む。
【００３２】
ステップＳ１０６では、制御部２１は、リビジョン情報読出部２２によって読み出された交換用制御基板のリビジョン情報をかご位置表示装置７に入力し、かご位置表示装置７は、入力されたリビジョン情報を液晶モニタに表示する。また、制御部２１は、リビジョン情報読出部２２から読み出された交換用制御基板のリビジョン情報を遠隔監視装置１１に送信し、遠隔監視装置１１は、入力されたリビジョン情報をメモリ３２に記憶させる。その後、ステップＳ１０７に進む。
【００３３】
ステップＳ１０７では、遠隔監視装置１１は、整合性判定部３１が、ステップＳ１０３においてメモリ３２に記憶させたリビジョン情報と、ステップＳ１０６においてメモリ３２に記憶させた交換用制御基板のリビジョン情報との比較を行い、両者の整合性を判定する。即ち、交換用制御基や新たに記憶するソフトが、現在取り付けられている他の制御基板や記憶されている他のソフトに整合し、正常に機能するかどうかを判定し、その結果を制御部２１に入力する。制御部２１は、整合性が有る（Ｓ１０７：ＹＥＳ）場合は、ステップＳ１０８に進む。一方、整合性が無い（Ｓ１０７：ＮＯ）場合は、ステップＳ１１０に進む。
【００３４】
ステップＳ１０８では、制御部２１は、リビジョン組合せ情報として、交換用制御基板が正常に機能する（整合する）組合せであることを、かご位置表示装置７の液晶モニタに表示させ、ステップＳ１０９に進む。
【００３５】
ステップＳ１０９では、かご位置表示装置７の液晶モニタに表示された内容により、保守作業員は、交換した制御基板が正常に動作することを認識し、制御基板の交換作業を終了する。そして、保守作業員は、運転切替スイッチ８を通常運転モードに切り替え、保守点検作業を終了する。この動作により、運転切替スイッチ８が通常運転モードとなったことを示す情報がエレベータ制御装置１０に入力され、エレベータ１は、通常運転を再開する。
【００３６】
一方、ステップＳ１１０では、制御部２１は、リビジョン組合せ情報として、交換用制御基板が正常に機能しない（不整合である）組合せであることを、かご位置表示装置７の液晶モニタに表示させる。例えば、図４に示すように、「液晶ＣＰＩに新サービス表示をするには、器具ＢＯＸのリビジョンが××以上必須である」と表示する。また、不整合情報を表示する。この表示を確認した保守作業員は、ステップＳ１０４に戻り、他の交換用制御基板に付け替える。
【００３７】
このように、本実施形態では、運転切替スイッチ８が通常運転モードから保守点検モードに切り替えられた時、エレベータ制御装置１０のリビジョン情報読出部２２により、エレベータ制御装置１０自身の制御基板のリビジョン情報と、乗場呼び登録装置３、乗場表示装置４、かご呼び登録装置６及びかご位置表示装置７の制御基板のリビジョン情報と、これらの制御基板上で演算処理を行うソフトのリビジョン情報とを読み出し、かご位置表示装置７の液晶モニタでこれらのリビジョン情報と、各リビジョン情報を更新した更新日時とを表示することができる。したがって、前記リビジョン情報等を表示するための表示装置を別途設けることなく、保守作業員は既存のかご位置表示装置７の液晶モニタで、リビジョン情報を一括して確認することができる。この結果、装置のコストを抑えつつ、保守点検作業の効率向上を図ることができる。
【００３８】
さらにまた、遠隔監視装置１１が、対象の制御基板及びソフトにおけるリビジョンの整合性を判定し、かご位置表示装置７の液晶モニタによりリビジョン組合せ情報を表示することにより、保守作業員は的確な作業を迅速に行うことができる。
【００３９】
なお、本実施形態では、乗場呼び登録装置３、乗場表示装置４、かご呼び登録装置６及びかご位置表示装置７により副制御装置を構成した場合について説明したが、これに限らず、副制御装置は、制御基板を備えたエレベータ機器であれば、他のエレベータ機器を含むことができることは勿論である。
【符号の説明】
【００４０】
１…エレベータ、２…乗場、３…乗場呼び登録装置、４…乗場表示装置、５…乗りかご、６…かご呼び登録装置、７…かご位置表示装置、８…運転切替スイッチ、９…機械室、１０…エレベータ制御装置、１１…遠隔監視装置、２１…制御部、２２…リビジョン情報読出部、２３、３２…メモリ、３１…整合性判定部
【図１】
2018034997.tif 000003
【図２】
2018034997.tif 000004
【図３】
2018034997.tif 000005
【図４】
2018034997.tif 000006
【図５】
2018034997.tif 000007
【図６】
2018034997.tif 000008